(57)【要約】【課題】  コンパクトで使い勝手の良い衣服のポケット構造およびそれを備えた衣服を提供する。【解決手段】  衣服のポケット構造１は、ポケット本体３と、補助ポケット５と、から構成されてなり、ポケット本体３は、布地１０の裏面１１ａにポケット本体袋３ａの上縁の一端が縫着され、他端が補助ポケット袋５ａの上縁の一端とともに縫着されて、布地１０の表面１３にポケット本体袋３ａの上縁の開口部３ｂがポケット本体入口３ｃとして形成され、補助ポケット５は、布地１０の裏面１１とポケット本体袋３ａとの間に設け、裏面１１ｂに補助ポケット袋５ａの上縁の他端が縫着され、一端がポケット本体袋３ａの上縁の他端とともに縫着されて、布地１０の表面１３に補助ポケット袋５ａの上縁の開口部５ｂが補助ポケット入口５ｃとして、ポケット本体３の縁取り縫い３ｄの下側に配置して形成されてなる。【選択図】  図４
0003216981.tif 000002
【実用新案登録請求の範囲】
【請求項１】
切りポケット構造をしてなる、ポケット本体および補助ポケットから構成されてなる衣服のポケット構造であって、
前記ポケット本体は、前記衣服の布地の裏面に前記ポケット本体のポケット本体袋の上縁の一端が縫着され、該上縁の他端と、前記補助ポケットの補助ポケット袋の上縁の一端とが縫着され、前記布地の表面に前記ポケット本体袋の上縁の開口部がポケット本体入口として形成されてなり、
前記補助ポケットは、前記裏面と前記ポケット本体袋との間に設け、前記裏面に前記補助ポケット袋の上縁の他端が縫着され、前記布地の表面に前記補助ポケット袋の上縁の開口部が補助ポケット入口として形成されてなり、
前記ポケット本体袋と前記補助ポケット袋とが前記裏面の内側で二重に重なるように形成され、かつ前記ポケット本体入口と前記補助ポケット入口とが前記表面で上下に並んで形成されてなる
ことを特徴とする衣服のポケット構造。
【請求項２】
前記補助ポケット入口は、留め具で前記開口部が塞がれてなることにより、前記補助ポケット入口が開閉可能に形成されてなる
ことを特徴とする請求項１に記載の衣服のポケット構造。
【請求項３】
請求項１または２に記載の前記衣服のポケット構造を備えた
ことを特徴とする衣服。
【考案の詳細な説明】
【技術分野】
【０００１】
本考案は、スーツ、ズボン、ジャケット、作業服、白衣、エプロン等々の衣服のポケット構造およびそれを備えた衣服に関する。
【背景技術】
【０００２】
従来のポケット構造の一例として、着用したときポケットが腹部または腰部の高さで、かつ体側部となるようにポケットが取り付けられ、さらに、前記ポケットの下方にさらに補助ポケットが設けられ、該補助ポケットの入口部の上方に両端部が固定されたループ状の紐状掛止体を備えてなる衣服が開示されている（特許文献１参照）。
【先行技術文献】
【特許文献】
【０００３】
【特許文献１】特開２０１０−２１６０２５号公報
【考案の概要】
【考案が解決しようとする課題】
【０００４】
しかしながら、特許文献１に記載の衣服は、ポケットの下方にさらに補助ポケットが設けられ、上方のポケットと下方の補助ポケットが上下の間を隔てて配置されているために、上方のポケットと下方の補助ポケットの配置される長さが長くなり、丈の長い白衣等の特定の衣服に限定されるという課題があった。
【０００５】
また、上方のポケットと下方の補助ポケットの入口部が開放状態となっているために、上下のポケットに入れられる物品の中で、できるだけ貴重品は避けなければならないという課題もあった。
【課題を解決するための手段】
【０００６】
そこで、前記課題を解決するための請求項１に記載の本考案は、切りポケット構造をしてなる、ポケット本体および補助ポケットから構成されてなる衣服のポケット構造であって、前記ポケット本体は、前記衣服の布地の裏面に前記ポケット本体のポケット本体袋の上縁の一端が縫着され、該上縁の他端と、前記補助ポケットの補助ポケット袋の上縁の一端とが縫着され、前記布地の表面に前記ポケット本体袋の上縁の開口部がポケット本体入口として形成されてなり、前記補助ポケットは、前記裏面と前記ポケット本体袋との間に設け、前記裏面に前記補助ポケット袋の上縁の他端が縫着され、前記布地の表面に前記補助ポケット袋の上縁の開口部が補助ポケット入口として形成されてなり、前記ポケット本体袋と前記補助ポケット袋とが前記裏面の内側で二重に重なるように形成され、かつ前記ポケット本体入口と前記補助ポケット入口とが前記表面で上下に並んで形成されてなる、ことを特徴とする衣服のポケット構造である。
【０００７】
前記切りポケットとは、布地に切り込みを入れて、その内側に袋布をつけたポケットの総称のことをいう。
【０００８】
前記ポケット本体入口および前記補助ポケット入口は、それぞれ縁取り縫いされ片玉縁が形成されてなり、かつ前記ポケット本体入口が上側に配置され、前記補助ポケット入口が前記ポケット本体入口の下側に配置されてなり、前記ポケット本体入口と前記補助ポケット入口とが上下に間を隔てず並んで形成されてなる。
【０００９】
前記ポケット本体入口および前記補助ポケット入口は、前記片玉縁が形成されているが、それぞれ両玉縁が形成されても好ましい。また、前記ポケット本体入口および前記補助ポケット入口の一方が前記片玉縁で、他方が前記両玉縁であっても好ましい。
【００１０】
前記ポケット本体袋は、幅広で深く形成されてなるので、比較的大きな物品を入れることができ、他方、前記補助ポケット袋は、幅狭で浅く形成されてなるので、小さな物品を入れることができ、それによりポケットの使用に選択肢が広がる。
【００１１】
請求項２に記載の本考案は、前記補助ポケット入口は、留め具で前記開口部が塞がれてなることにより、前記補助ポケット入口が開閉可能に形成されてなる、ことを特徴とする請求項１に記載の衣服のポケット構造である。
【００１２】
前記留め具は、線ファスナーが好ましく、面ファスナー、ボタン、ホック等であっても好ましい。
【００１３】
前記補助ポケット入口は、前記留め具で開閉可能に形成されてなることにより、たとえば前記補助ポケットに貴重品を入れて落とさないように、前記補助ポケット入口を前記留め具で閉じることができる。
【００１４】
この場合、前記留め具は、前記切りポケット構造に縁取り縫いされた片玉縁の玉縁布で隠れるために、前記布地の表面側から前記留め具がついていることが見えなく、スッキリとして見栄えが良い。
【００１５】
請求項３に記載の本考案は、請求項１または２に記載の前記衣服のポケット構造を備えた衣服である、ことを特徴とする。
【００１６】
前記衣服のポケット構造が前記ポケット本体と前記補助ポケットとが二重に重なるようにコンパクトに形成されてなるので、衣服の形状に限定されることなく、前記衣服のポケット構造を備えたスーツ、ズボン、ジャケット、作業服、白衣、エプロン等の色々な衣服を提供することができる。
【考案の効果】
【００１７】
本考案の衣服のポケット構造によれば、衣服の布地の裏面の内側でポケット本体袋と補助ポケット袋とが二重に重なるように形成され、かつ前記ポケット本体入口と前記補助ポケット入口とが上下に間を隔てず並んで形成されてなるので、衣服にポケット本体と補助ポケットの２つのポケット構造をコンパクトに形成することができ、丈の長い服に限定されるという従来のポケット構造の課題を解消することができる。
【００１８】
また本考案の衣服のポケット構造によれば、１カ所あたりのポケットの数が２倍の増えることにより、使い勝手が良くなるとともに、ポケット本体と補助ポケットの入口同士が上下に並んで配置されており、スッキリとまとまって目立たないので、ポケットの見栄えが良くなる。
【００１９】
また本考案の衣服のポケット構造によれば、補助ポケット入口に留め具を設けているので、補助ポケットに貴重品を入れて、無くさないように、補助ポケット入口の留め具を閉じることができる。
【００２０】
さらに本考案の衣服のポケット構造およびそれを備えた衣服によれば、衣服のポケット構造がコンパクトに形成されてなるので、衣服の形状および用途に限定することなく、ポケット本体と補助ポケットの２つのポケット構造を備えた色々な衣服を提供することができる。
【図面の簡単な説明】
【００２１】
【図１】本考案の第一の実施例を示し、ズボン３０のバックポケット３１に衣服のポケット構造１を備えたズボン３０の背面図である。
【図２】本考案の第二の実施例を示し、ジャケット５０の腰ポケット５１に衣服のポケット構造１を備えたジャケット５０の正面図である。
【図３】図１のバックポケット３１の拡大正面図である。
【図４】図３のＡ−Ａ拡大端面図である。
【図５】図２の腰ポケット５１の拡大正面図である。
【図６】図５のＢ−Ｂ拡大端面図である。
【考案を実施するための形態】
【００２２】
以下、本考案に係る実施の形態を図１乃至図６を参照しながら詳しく説明する。なお、本明細書及び図面において、実質的に同一の機能構成を有する構成要素については、同一の符号を付することにより重複説明を省略する。
【００２３】
本実施形態の衣服は、図１および図２に示すように、ズボン３０およびジャケット５０が主なものであり、ズボン３０には、たとえばズボン３０の左側のバックポケット３１として衣服のポケット構造１が備えられており、ジャケット５０には、たとえばジャケット５０の右側の腰ポケット５１として衣服のポケット構造１が備えられている。なお、ズボン３０およびジャケット５０ともに左右両側のポケットに衣服のポケット構造１が備えられても好ましい。
【００２４】
本考案の衣服のポケット構造１は、図３および図５示すように、ポケット本体３と、補助ポケット５とから構成されてなる。たとえばジャケット５０の場合、ポケット本体袋３ａの幅は１５ｃｍ、深さは１７ｃｍで形成されてなり、補助ポケット袋５ａの幅は１１ｃｍ、深さは１３ｃｍで形成されてなる。また、図４および図６示すように、ポケット本体３と補助ポケット５とは、切りポケット構造に形成されてなり、かつ布地１０の裏面１１の内側で重なるように二重ポケットを構成してなる。
【００２５】
本考案の第一の実施例の衣服のポケット構造１は、たとえばズボン３０に備えた例を示しており、図１、図３および図４に示すように、ポケット本体３と補助ポケット５とから構成されてなり、ポケット本体３は、ズボン３０の布地１０の裏面１１ａにポケット本体袋３ａの上縁の一端が縫製線Ｌ１によって縫着され、該他端が縫製線Ｌ２によって補助ポケット袋５ａの上縁の一端とともに縫着されて、布地１０の表面１３にポケット本体袋３ａの上縁の開口部３ｂがポケット本体入口３ｃとして形成されてなる。なお、ポケット本体袋３ａの他端と補助ポケット袋５ａの一端は縁取り縫いされて片玉縁３ｄが形成されてなる。
【００２６】
補助ポケット５は、ズボン３０の布地１０の裏面１１とポケット本体袋３ａとの間に設け、裏面１１ｂに補助ポケット袋５ａの上縁の他端が縫製線Ｌ３によって縫着され、該一端が縫製線Ｌ２によってポケット本体袋３ａの上縁の他端とともに縫着されて、布地１０の表面１３に補助ポケット袋５ａの上縁の開口部５ｂが補助ポケット入口５ｃとして、ポケット本体３の片玉縁３ｄの下側に配置して形成されてなる。なお、補助ポケット袋５ａの他端は縁取り縫いされて片玉縁５ｄが形成されてなる。
【００２７】
この構成によって、衣服のポケット構造１は、布地１０の裏面１１の内側に、ポケット本体３と補助ポケット５とが重なるように二重ポケットを形成するとともに、布地１０の表面１３に、ポケット本体入口３ｃと補助ポケット入口５ｃが上下に間を隔てず並んで形成されてなる。この場合、ポケット本体入口３ｃと補助ポケット入口５ｃは、常時、開口状態となっている。
【００２８】
本考案の第二の実施例の衣服のポケット構造１は、たとえばジャケット５０に備えた例を示しており、図２、図５および図６に示すように、ポケット本体３と補助ポケット５とから構成されなり、ポケット本体３は、ジャケット５０の布地１０の裏面１１ａにポケット本体袋３ａの上縁の一端が縫製線Ｌ１によって縫着され、該他端が縫製線Ｌ２によって補助ポケット袋５ａの上縁の一端とともに縫着されて、布地１０の表面１３にポケット本体袋３ａの上縁の開口部３ｂがポケット本体入口３ｃとして形成されてなる。なお、ポケット本体袋３ａの他端と補助ポケット袋５ａの一端は縁取り縫いされて片玉縁３ｄが形成されてなる。
【００２９】
補助ポケット５は、ジャケット５０の布地１０の裏面１１とポケット本体袋３ａとの間に設け、裏面１１ｂに補助ポケット袋５ａの上縁の他端が縫製線Ｌ３によって縫着され、該一端が縫製線Ｌ２によってポケット本体袋３ａの上縁の他端とともに縫着されて、布地１０の表面１３に補助ポケット袋５ａの上縁の開口部５ｂが補助ポケット入口５ｃとして、ポケット本体３の片玉縁３ｄの下側に配置して形成されてなる。なお、補助ポケット袋５ａの他端は縁取り縫いされて片玉縁５ｄが形成されてなる。
【００３０】
また、補助ポケット入口５ｃは、留め具Ｆが縫製線Ｌ２およびＬ３によって縫着されることにより、開口部５ｂが塞がれてなり、補助ポケット入口５ｃは留め具Ｆにより開閉可能となっている。この場合、留め具Ｆは、図５に示すように、縁取り縫いされた片玉縁５ｄの玉縁布５ｅで隠れるために、布地１０の表面１３側から留め具Ｆがついていることが見えないので、補助ポケット５がスッキリとして見栄えが良くなる。なお、ポケット本体入口３ｃは、常時、開口状態となっている
【００３１】
この構成によって、図６に示すように、ポケット本体３と補助ポケット５とが、布地１０の裏面１１の内側で重なるように二重ポケットを形成するとともに、ポケット本体入口３ｃと補助ポケット入口５ｃとが上下に間を隔てず並んで形成されてなる。
【００３２】
なお、図４および図６に示すように、ポケット本体３の開口部３ｂと補助ポケット５の開口部５ｂとは、それぞれの開口部３ｂ，５ｂの説明が分かりやすいように、開口の幅を拡げて図示しているが、使用段階では、それぞれの開口部３ｂ，５ｂは、開口部分が接触状態となっている。
【００３３】
このようにしてなる衣服のポケット構造１によれば、ポケット本体３と補助ポケット５の２つのコンパクトなポケットを実現することができ、かつ補助ポケット入口５ｃに留め具Ｆを設けて補助ポケット５を貴重品入れとして使用することができるとともに、衣服のポケット構造１を備えた衣服を提供することができる。
【符号の説明】
【００３４】
１    衣服のポケット構造
３    ポケット本体
３ａ    ポケット本体袋
３ｂ    開口部
３ｃ    ポケット本体入口
３ｄ    片玉縁
５    補助ポケット
５ａ    補助ポケット袋
５ｂ    開口部
５ｃ    補助ポケット入口
５ｄ    片玉縁
５ｅ    玉縁布
１０    布地
１１    裏面
１１ａ    裏面
１１ｂ    裏面
１３    表面
３０    ズボン
３１    バックポケット
５０    ジャケット
５１    腰ポケット
Ｆ    留め具
Ｌ１    縫製線
Ｌ２    縫製線
Ｌ３    縫製線
【図１】
0003216981.tif 000003
【図２】
0003216981.tif 000004
【図３】
0003216981.tif 000005
【図４】
0003216981.tif 000006
【図５】
0003216981.tif 000007
【図６】
0003216981.tif 000008